(57)【要約】【課題】画像出力装置に入力された映像信号が前処理によって歪んだ場合であっても高画質の画像を実現できるために用いる信号補正装置、信号補正方法及び信号補正プログラムを提供する。【解決手段】ディスプレイは、映像信号を分離したりクランプしたりする前処理回路、信号補正回路１２、画質調整を行なう画質調整回路及びＬＣＤパネルを備える。信号補正回路１２は、ＤＣシフト回路１２１、ゲイン調整回路１２２、リニアライザ１２３、これらの設定を行なう差分値算出回路１２４及び調整信号生成回路１２５を備える。ＤＣシフト回路１２１は、前処理手段からの信号のオフセットを「０」にした信号を出力し、ゲイン調整回路１２２は、この信号の出力１００％が最大値になるのと同様な変換を行った信号を出力する。リニアライザ１２３は、ゲイン調整回路１２２からの信号に対して、変換テーブル及び補間式を用いて、線形性を有する信号に変換して出力する。【選択図】図２
2009128515.tif 000002
【特許請求の範囲】
【請求項１】
表示パネルを備えた画像出力装置に供給される映像信号に対して前処理を行なう前処理手段からの信号を入力し、前記表示パネルに供給する信号を補正するための信号補正装置であって、
前記前処理手段から入力される信号のボトムレベルをボトム基準値に一致させるように、オフセットをシフトさせるシフト手段と、
このシフト手段から出力される信号のトップレベルをトップ基準値に一致させるように、この信号に対してゲイン調整を行なうゲイン調整手段と、
このゲイン調整手段から出力される信号を、線形性を有する信号に変換する線形性調整手段とを備えたことを特徴とする信号補正装置。
【請求項２】
信号補正装置の出力信号及び基準信号から差分値を算出する差分値算出手段を更に備え、
この差分値算出手段は、前記シフト手段、前記ゲイン調整手段及び前記線形性調整手段を設定する前の前記出力信号のボトムレベルと前記基準信号のボトム基準値との差分値を算出して前記シフト手段に供給し、
このシフト手段は、供給された差分値を、オフセットをゼロにするためのシフト値を算出して、このシフト値を保持し、
前記差分値算出手段は、前記シフト値が設定された信号補正装置の出力信号のトップレベルと前記基準信号のトップ基準値との差分値を算出して前記ゲイン調整手段に供給し、
このゲイン調整手段は、供給された差分値から、前記出力信号のトップレベルを前記トップ基準値に一致させるためのゲインを算出して、このゲインを保持し、
前記差分値算出手段は、前記シフト値及び前記ゲインが設定された信号補正装置の出力信号の調整ポイントにおける所定レベルと、各調整ポイントにおける前記基準信号の調整ポイント基準値との差分値を算出して前記線形性調整手段に供給し、
前記線形性調整手段は、供給された差分値を用いて、前記出力信号が線形性を有する信号に変換するために用いる変換テーブルを生成して、この変換テーブルを保持することを特徴とする請求項１に記載の信号補正装置。
【請求項３】
前記シフト手段、ゲイン調整手段及び線形性調整手段のそれぞれの調整を行なうために、基準信号を前記差分値算出手段に供給し、
前記シフト手段、ゲイン調整手段又は線形性調整手段に対して、前記差分値算出手段からの差分値を取得して設定処理を実行させるための調整制御信号を供給する調整信号生成手段を更に備えたことを特徴とする請求項２に記載の信号補正装置。
【請求項４】
表示パネルを備えた画像出力装置に供給される映像信号に対して前処理を行なう前処理手段からの信号を入力し、前記表示パネルに供給する信号を補正するための信号補正方法であって、
前記前処理手段から入力される信号のボトムレベルをボトム基準値に一致させるように、オフセットをシフトさせる段階と、
オフセットがシフトされた信号のトップレベルをトップ基準値に一致させるように、この信号に対してゲイン調整を行なう段階と、
ゲイン調整が行なわれた信号を、線形性を有する信号に変換する段階とを備えたことを特徴とする信号補正方法。
【請求項５】
表示パネルを備えた画像出力装置に供給される映像信号に対して前処理を行なう前処理手段からの信号を入力し、前記表示パネルに供給する信号を補正するための信号補正装置を用いたプログラムであって、
前記信号補正装置を、
前記前処理手段から入力される信号のボトムレベルをボトム基準値に一致させるように、オフセットをシフトさせるシフト手段、
このシフト手段から出力される信号のトップレベルをトップ基準値に一致させるように、この信号に対してゲイン調整を行なうゲイン調整手段、及び
このゲイン調整手段から出力される信号を、線形性を有する信号に変換する線形性調整手段として機能させることを特徴とする信号補正プログラム。
【発明の詳細な説明】
【技術分野】
【０００１】
本発明は、ディスプレイ等の画像出力装置において用いられる信号補正装置、信号補正方法及び信号補正プログラムに関する。
【背景技術】
【０００２】
画像データをディスプレイ等の画像出力装置に表示させる場合、ディスプレイの大きさやパネル特性を考慮したデータ変換が行なわれる。具体的には、カラーマネジメントやガンマ値、ホワイトバランスを調整する（例えば、特許文献１参照）。この特許文献１に記載の情報処理装置では、映像処理コントローラの高画質化処理パラメータを表示装置の種別毎に記憶するメモリを備える。そして、表示装置の種別を判別し、この判別結果に応じてメモリから高画質化処理パラメータを読出し、映像信号を高画質化処理するための設定を行なう。
【０００３】
また、画像出力装置には、画質を調整するための画質調整エンジンが設けられているものもある。そして、液晶モジュールを備えたテレビジョン受像機においては、効率よく低廉にホワイトバランスを調整するための技術も検討されている（例えば、特許文献２参照）。この技術では、Ｒ（レッド）、Ｇ（グリーン）、又はＢ（ブルー）の調整係数を入力し、調整係数に基づいてガンマテーブルを書き換える。調整作業者が、液晶モジュール上のパターン映像の色度が目標の色度になったと判断した場合、調整係数を調整確定値として記憶させる。そして、調整確定値をガンマテーブルに反映して調整用ガンマテーブルを作成する。
【特許文献１】特開２００５−３４０９５４号公報（第１頁）
【特許文献２】特開２００６−３２５０１４号公報（第１頁）
【発明の開示】
【発明が解決しようとする課題】
【０００４】
ところで、ディスプレイに供給される映像信号は、輝度信号や水平・垂直の同期信号等を合成した復号映像信号である。このため、ディスプレイにおいては、供給された映像信号を復調する処理や水平・垂直の同期信号を分離する処理等の前処理が行なわれる。このような前処理によって信号が歪むことがある。
【０００５】
具体的に、図５を用いて説明する。ディスプレイには、前処理を行なうための前処理回路６０が設けられている。前処理回路６０は、ディスプレイに入力された映像信号から各種の信号を取り出すために演算を行なうプロセッサ６１と、分離した信号をクランプするためのクランプ回路６２と、アナログ信号をデジタル信号に変換するＡ／Ｄコンバータ６３とを備える。
【０００６】
ここで、基準信号発生器からディスプレイに映像信号Ｓｐ１が入力されたとする。この場合、映像信号Ｓｐ１は、プロセッサ６１において、同期信号や輝度信号等の各種信号を分離する処理が行なわれて、クランプ回路６２に供給される。このクランプ回路６２では、Ａ／ＤコンバータのダイナミックレンジＤＲと一致するように、分離した信号の最小値又は最大値をこのダイナミックレンジのボトム基準値ＢＬ又はトップ基準値ＴＬにするために演算処理が行なわれる。ここで、クランプ回路６２から出力される信号は、理想的には信号Ｓｐ２となり、Ａ／Ｄコンバータ６３に供給される。
【０００７】
しかしながら、プロセッサ６１においては、差動電圧を用いて処理を行っているため、回路の直流レベルに応じてゲインが変動することがある。このゲイン変動があった場合に
は、図５に示すように、前処理回路６０に入力された映像信号Ｓｐ１が非線形の信号Ｓｐ３に変化する場合がある。
【０００８】
また、クランプ回路６２においては、増幅器を構成する抵抗値のばらつきや素子特性のばらつきのために、ゲイン不足ＧＬやゲインオーバー等が発生する。更に、クランプ回路６２がクランプに用いる基準電圧のばらつきやクランプパルスの漏れのため、クランプする区間におけるパルス信号Ｐ１の発生や量子化エラーのために、オフセットＦＳが発生することがある。この場合、例えばクランプ回路６２からは信号Ｓｐ４が出力される。
【０００９】
このように前処理において信号が歪んだ場合には、的確な基準信号に基づいて画像調整を行なうことができないため、上述した特許文献１，２に記載の技術を用いても、高画質の画像を実現することは困難である。
【００１０】
本発明は、上述の問題に鑑みてなされ、その目的は、画像出力装置に入力された映像信号が前処理によって歪んだ場合であっても高画質の画像を実現できるために用いる信号補正装置、信号補正方法及び信号補正プログラムを提供することにある。
【課題を解決するための手段】
【００１１】
上記問題点を解決するために、請求項１に記載の発明は、表示パネルを備えた画像出力装置に供給される映像信号に対して前処理を行なう前処理手段からの信号を入力し、前記表示パネルに供給する信号を補正するための信号補正装置であって、前記前処理手段から入力される信号のボトムレベルをボトム基準値に一致させるように、オフセットをシフトさせるシフト手段と、このシフト手段から出力される信号のトップレベルをトップ基準値に一致させるように、この信号に対してゲイン調整を行なうゲイン調整手段と、このゲイン調整手段から出力される信号を、線形性を有する信号に変換する線形性調整手段とを備えたことを要旨とする。
【００１２】
請求項２に記載の発明は、請求項１に記載の信号補正装置において、信号補正装置の出力信号及び基準信号から差分値を算出する差分値算出手段を更に備え、この差分値算出手段は、前記シフト手段、前記ゲイン調整手段及び前記線形性調整手段を設定する前の前記出力信号のボトムレベルと前記基準信号のボトム基準値との差分値を算出して前記シフト手段に供給し、このシフト手段は、供給された差分値を、オフセットをゼロにするためのシフト値を算出して、このシフト値を保持し、前記差分値算出手段は、前記シフト値が設定された信号補正装置の出力信号のトップレベルと前記基準信号のトップ基準値との差分値を算出して前記ゲイン調整手段に供給し、このゲイン調整手段は、供給された差分値から、前記出力信号のトップレベルを前記トップ基準値に一致させるためのゲインを算出して、このゲインを保持し、前記差分値算出手段は、前記シフト値及び前記ゲインが設定された信号補正装置の出力信号の調整ポイントにおける所定レベルと、各調整ポイントにおける前記基準信号の調整ポイント基準値との差分値を算出して前記線形性調整手段に供給し、前記線形性調整手段は、供給された差分値を用いて、前記出力信号が線形性を有する信号に変換するために用いる変換テーブルを生成して、この変換テーブルを保持することを要旨とする。
【００１３】
請求項３に記載の発明は、請求項２に記載の信号補正装置において、前記シフト手段、ゲイン調整手段及び線形性調整手段のそれぞれの調整を行なうために、基準信号を前記差分値算出手段に供給し、前記シフト手段、ゲイン調整手段又は線形性調整手段に対して、前記差分値算出手段からの差分値を取得して設定処理を実行させるための調整制御信号を供給する調整信号生成手段を更に備えたことを要旨とする。
【００１４】
請求項４に記載の発明は、表示パネルを備えた画像出力装置に供給される映像信号に対
して前処理を行なう前処理手段からの信号を入力し、前記表示パネルに供給する信号を補正するための信号補正方法であって、前記前処理手段から入力される信号のボトムレベルをボトム基準値に一致させるように、オフセットをシフトさせる段階と、オフセットがシフトされた信号のトップレベルをトップ基準値に一致させるように、この信号に対してゲイン調整を行なう段階と、ゲイン調整が行なわれた信号を、線形性を有する信号に変換する段階とを備えたことを要旨とする。
【００１５】
請求項５に記載の発明は、表示パネルを備えた画像出力装置に供給される映像信号に対して前処理を行なう前処理手段からの信号を入力し、前記表示パネルに供給する信号を補正するための信号補正装置を用いたプログラムであって、前記信号補正装置を、前記前処理手段から入力される信号のボトムレベルをボトム基準値に一致させるように、オフセットをシフトさせるシフト手段、このシフト手段から出力される信号のトップレベルをトップ基準値に一致させるように、この信号に対してゲイン調整を行なうゲイン調整手段、及びこのゲイン調整手段から出力される信号を、線形性を有する信号に変換する線形性調整手段として機能させることを要旨とする。
【００１６】
（作用）
請求項１、４又は５に記載の発明によれば、シフト手段は、信号のボトムレベルをボトム基準値に一致させ、ゲイン調整手段は、このシフト手段から出力される信号のトップレベルをトップ基準値に一致させる。このため、前処理手段においてオフセットが生じた場合などレンジが一致しない信号が出力された場合には、この信号を規定のレンジの大きさに適合するように補正することができる。更に、線形性調整手段は、ゲイン調整手段から出力される信号を、線形性を有する信号に変換する。このため、前処理手段において信号が非線形になった場合には、線形の信号に補正することができる。従って、画像出力装置に入力された映像信号が前処理によって歪んでも、この歪みを補正した信号を出力することができる。よって、この信号に基づいて調整を行なえるので、基準信号に基づいて高画質の画像を設定している調整手段を備えた画像出力装置においても高画質の画像を実現することができる。
【００１７】
請求項２に記載の発明によれば、信号補正装置の出力信号及び基準信号から差分値を算出する差分値算出手段を備える。この差分値算出手段は、シフト手段、ゲイン調整手段及び線形性調整手段を設定する前の出力信号のボトムレベルと基準信号のボトム基準値との差分値を算出してシフト手段に供給する。シフト手段は、供給された差分値を、オフセットをゼロにするためのシフト値を算出して、このシフト値を保持する。差分値算出手段は、シフト値が設定された信号補正装置の出力信号のトップレベルと基準信号のトップ基準値との差分値を算出してゲイン調整手段に供給する。ゲイン調整手段は、供給された差分値から、出力信号のトップレベルをトップ基準値に一致させるためのゲインを算出して、このゲインを保持する。差分値算出手段は、シフト値及びゲインが設定された信号補正装置の出力信号の調整ポイントにおける所定レベルと、各調整ポイントにおける基準信号の調整ポイント基準値との差分値を算出して線形性調整手段に供給する。線形性調整手段は、供給された差分値を用いて、出力する信号が直線的に変化する信号に変換するための変換テーブルを生成して、この変換テーブルを保持する。このため、信号補正装置は、前処理手段からの出力信号とこれに対応する基準信号のレベルに応じて、シフト手段のシフト値、ゲイン調整手段のゲイン及び線形性調整手段の変換テーブルを設定する。従って、信号補正装置に信号を供給する前処理手段の特性が不明であっても、この前処理手段からの信号に基づいてシフト値、ゲイン及び変換テーブルを適宜設定することができるので、各前処理手段の特性に適合した補正を行なうことができる。
【００１８】
請求項３に記載の発明によれば、シフト手段、ゲイン調整手段及び線形性調整手段のそれぞれの調整を行なうために、基準信号を差分値算出手段に供給し、シフト手段、ゲイン
調整手段又は線形性調整手段に対して、差分値算出手段からの差分値を取得して設定処理を実行させるための調整制御信号を供給する調整信号生成手段を更に備えた。このため、調整信号生成手段は、基準信号及び調整制御信号を制御することにより、シフト手段、ゲイン調整手段又は線形性調整手段が設定に用いる差分値を供給して、それぞれを順番に設定することができる。
【発明の効果】
【００１９】
本発明によれば、画像出力装置に入力された映像信号が前処理によって歪んだ場合であっても高画質の画像を実現することができる。
【発明を実施するための最良の形態】
【００２０】
以下、本発明を具体化した信号補正装置の一実施形態を図１〜図４に基づいて説明する。本実施形態では、図１（ａ）に示すように、信号補正装置としての信号補正回路１２は、画像出力装置としてのディスプレイ１０に内蔵されている。
【００２１】
ディスプレイ１０は、前処理手段としての前処理回路１１、信号補正回路１２、画質調整回路１３、表示パネルとしてのＬＣＤパネル１４及びプロファイルデータ記憶部１５を備えている。ディスプレイ１０には、映像信号が供給される。本実施形態では、映像信号として、ＲＧＢ方式の信号（ＲＧＢ信号）に基づいて生成されたコンポーネント信号を供給する。このコンポーネント信号には、同期信号や輝度信号及び色差信号像信号（ＹＰｂＰｒ信号）が含まれる。また、ディスプレイ１０を構成する各回路（１１〜１３）の設定を行なう場合には、図１（ｂ）に示すように、基準信号発生器２０が生成した基準信号が映像信号として供給される。
【００２２】
ディスプレイ１０の前処理回路１１は、従来と同様に、プロセッサ、クランプ回路及びＡ／Ｄコンバータを備えている。前処理回路１１のプロセッサは、ディスプレイに入力された映像信号から、同期信号や信号成分を分離するための演算を実行する。クランプ回路は、プロセッサからの信号に対してクランプを行なう。Ａ／Ｄコンバータは、クランプ回路から出力されたアナログ信号をデジタル信号に変換する。そして、前処理回路１１のＡ／Ｄコンバータにおいて変換されたデジタル信号が、前処理回路１１の出力信号として信号補正回路１２に供給される。
【００２３】
信号補正回路１２は、図２に示すように、ＤＣシフト回路１２１、ゲイン調整回路１２２、リニアライザ１２３、差分値算出回路１２４及び調整信号生成回路１２５を備えている。ＤＣシフト回路１２１はシフト手段として機能し、ゲイン調整回路１２２はゲイン調整手段として機能し、リニアライザ１２３は線形性調整手段として機能する。また、差分値算出回路１２４は差分値算出手段として機能し、調整信号生成回路１２５は調整信号生成手段として機能する。
【００２４】
ＤＣシフト回路１２１は、信号のボトムレベルをボトム基準値に一致させた信号を出力する。ここで、ボトム基準値とは、ダイナミックレンジの最小値であり、信号出力０％のときの出力電圧である。
【００２５】
具体的には、ＤＣシフト回路１２１には、前処理回路１１から出力された信号が入力される。ＤＣシフト回路１２１は、入力された信号に対して、内部で保持しているシフト値を加算して、信号のオフセット値を「０」にした信号を出力する。このＤＣシフト回路１２１からの出力信号は、ゲイン調整回路１２２に供給される。ここで、保持されているシフト値は、ＤＣシフト回路１２１が、調整信号生成回路１２５から調整制御信号が供給された場合、差分値算出回路１２４から取得した差分値に基づいて算出される。
【００２６】
ゲイン調整回路１２２は、信号のトップレベルをトップ基準値に一致させた信号を出力する。ここで、トップ基準値とは、ダイナミックレンジの最大値であり、信号出力１００％のときの出力電圧である。
【００２７】
具体的には、ゲイン調整回路１２２には、ＤＣシフト回路１２１から出力された信号が入力される。ゲイン調整回路１２２は、入力された信号に対して、内部で保持しているゲインを乗算して増幅された信号を出力する。このゲイン調整回路１２２からの出力信号は、リニアライザ１２３に供給される。ここで、保持されているゲインは、調整信号生成回路１２５から調整制御信号が供給された場合、ゲイン調整回路１２２が、差分値算出回路１２４から取得した差分値に基づいて、信号のトップレベルに対応するトップ基準値の比率を算出することにより算出される。
【００２８】
リニアライザ１２３は、非線形の入力信号を、線形性を有する信号に変換して出力する。本実施形態では、変換テーブルから、入力信号の信号レベルを挟む近傍の調整ポイントにおける変換値（調整ポイント変換値）を取得し、この変換値を用いて、入力信号と調整ポイントとの距離に応じた重み付けを補間式を用いて行なうことにより変換を行なう。
【００２９】
具体的には、リニアライザ１２３には、ゲイン調整回路１２２から出力された信号が入力される。リニアライザ１２３は、入力された信号に対して、内部で保持している変換テーブルを用いて、直線的に変化するように変換された信号を出力する。このリニアライザ１２３からの出力信号は、信号補正回路１２の出力として画質調整回路１３に供給される。ここで、変換テーブルは、リニアライザ１２３が、調整信号生成回路１２５から調整信号が供給された場合、差分値算出回路１２４から取得した差分値を用いて算出される。
【００３０】
差分値算出回路１２４は、調整信号生成回路１２５から供給される基準信号（期待値データ）と、信号補正回路１２から出力される信号との差分値を算出する。この差分値算出回路１２４は、算出した差分値を、ＤＣシフト回路１２１、ゲイン調整回路１２２及びリニアライザ１２３に供給する。
【００３１】
調整信号生成回路１２５は、ＤＣシフト回路１２１、ゲイン調整回路１２２及びリニアライザ１２３を設定するために、各回路（１２１〜１２４）に対して信号を供給する。この場合、調整信号生成回路１２５は、ＤＣシフト回路１２１、ゲイン調整回路１２２及びリニアライザ１２３の順番に調整制御信号を供給し、これに対応する期待値データを差分値算出回路１２４に供給する。
【００３２】
具体的には、ＤＣシフト回路１２１を設定する場合には、調整信号生成回路１２５は、基準信号発生器２０において出力０％の信号が出力された場合のボトム基準値を期待値データとして差分値算出回路１２４に供給するとともに、ＤＣシフト回路１２１に調整制御信号を供給する。
【００３３】
また、ゲイン調整回路１２２を設定する場合には、調整信号生成回路１２５は、基準信号発生器２０において出力１００％の信号を発生した場合のトップ基準値を期待値データとして差分値算出回路１２４に供給するとともに、ゲイン調整回路１２２に調整制御信号を供給する。
【００３４】
更に、リニアライザ１２３を設定する場合には、調整信号生成回路１２５は、基準信号発生器２０において各調整ポイントの出力信号を発生した場合の調整ポイント基準値を期待値データとして差分値算出回路１２４に供給するとともに、リニアライザ１２３に調整制御信号を供給する。
【００３５】
一方、図１に示すディスプレイ１０の画質調整回路１３は、ＬＣＤパネル１４の特性を、高画質のディスプレイの特性に一致させるための調整手段である。この画質調整回路１３は、図１（ａ）に示すように、信号補正回路１２から入力された信号を、入出力特性テーブルを用いて駆動出力信号に変換してＬＣＤパネル１４に供給する。
【００３６】
プロファイルデータ記憶部１５には、画質調整回路１３が用いる入出力特性テーブルが記憶されている。この入出力特性テーブルは、高画質の画像出力装置のディスプレイ特性と、ＬＣＤパネル１４のディスプレイ特性に基づいて設定される。このＬＣＤパネル１４のディスプレイ特性は、図１（ｂ）に示すように、基準信号発生器２０からの基準信号が画質調整回路１３に入力されて、これに対応する測定器（色彩輝度計）によって測定された三刺激値から特定される。そして、特定されたＬＣＤパネル１４のディスプレイ特性が、同様にして特定された高画質の画像出力装置のディスプレイ特性に一致するように、ガンマ特性及びホワイトバランス特性を調整する入出力特性テーブルが生成されて、プロファイルデータ記憶部１５に記憶される。
【００３７】
ディスプレイ１０のＬＣＤパネル１４は、液晶ディスプレイである。このＬＣＤパネル１４は、ディスプレイ１０に入力された信号が前処理回路１１、信号補正回路１２及び画質調整回路１３を通過して変換された駆動出力ＲＧＢ信号に応じた出力を行なう。
【００３８】
（信号補正手段の設定処理）
次に、信号補正回路１２を構成するＤＣシフト回路１２１、ゲイン調整回路１２２、リニアライザ１２３の設定処理について、図３及び図４を用いて説明する。この場合、信号補正回路１２は、ＤＣシフト回路１２１、ゲイン調整回路１２２及びリニアライザ１２３の順番に設定を行なう。
【００３９】
まず、図３（ａ）に示すように、信号補正回路１２の内部設定が行なわれていない場合には、前処理回路１１からの入力信号は、ＤＣシフト回路１２１、ゲイン調整回路１２２及びリニアライザ１２３及び差分値算出回路１２４をそのまま通過する。この場合、信号補正回路１２の出力信号は、図３に示すように、前処理回路１１から出力される信号（Ａ／Ｄコンバータの信号Ｓ１）と同じになる。
【００４０】
ここで、図３（ｂ）に示すように、調整信号生成回路１２５が、ＤＣシフト回路１２１を設定するために、差分値算出回路１２４に対して期待値データ信号を供給する。この場合、調整信号生成回路１２５は、出力０％の基準信号に対応する期待値データ信号（ボトム基準値の信号）を供給する。これにより、差分値算出回路１２４は、ボトム基準値と、差分値算出回路１２４に供給された信号Ｓ１との差分値を算出する。そして、差分値算出回路１２４は、算出した差分値をＤＣシフト回路１２１、ゲイン調整回路１２２、リニアライザ１２３に供給する。
【００４１】
調整信号生成回路１２５は、期待値データ信号の供給と同期して、ＤＣシフト回路１２１に対して調整制御信号を供給する。この場合、調整制御信号が供給されたＤＣシフト回路１２１は、差分値算出回路１２４からの差分値データを取得する。ＤＣシフト回路１２１は、取得した差分値データから、信号Ｓ１のオフセット値を「０」とするためのシフト値を算出して、このシフト値を記憶して保持する。
【００４２】
このようにシフト値が保持されると、ＤＣシフト回路１２１の設定が終了する。ここで、調整信号生成回路１２５は、ＤＣシフト回路１２１に対する調整制御信号及び差分値算出回路１２４に対する期待値データ信号の供給を停止する。この場合、図３（ｃ）に示すように、信号補正回路１２の出力信号は、シフト値が保持されたＤＣシフト回路１２１からの信号Ｓ２である。この信号Ｓ２は、信号Ｓ１のボトムレベルがボトム基準値に一致す
るように変換されて、全体をシフト値だけ減算した信号になる。
【００４３】
次に、図３（ｄ）に示すように、調整信号生成回路１２５が、ゲイン調整回路１２２を設定するために、差分値算出回路１２４に対して期待値データ信号を供給する。この場合、調整信号生成回路１２５は、出力１００％の基準信号に対応する期待値データ信号（トップ基準値の信号）を供給する。これにより、差分値算出回路１２４は、トップ基準値と、差分値算出回路１２４に供給された信号Ｓ２との差分値を算出する。そして、差分値算出回路１２４は、算出した差分値をＤＣシフト回路１２１、ゲイン調整回路１２２、リニアライザ１２３に供給する。
【００４４】
調整信号生成回路１２５は、期待値データ信号の供給と同期して、ゲイン調整回路１２２に対して調整制御信号を供給する。この場合、調整制御信号が供給されたゲイン調整回路１２２は、差分値算出回路１２４からの差分値データを取得する。ゲイン調整回路１２２は、取得した差分値データから、信号Ｓ２のトップレベルをトップ基準値とするためのゲインを算出して、このゲインを記憶して保持する。
【００４５】
このようにゲインが保持されると、ゲイン調整回路１２２の設定が終了する。ここで、調整信号生成回路１２５は、ゲイン調整回路１２２に対する調整制御信号及び差分値算出回路１２４に対する期待値データ信号の供給を停止する。この場合、図４（ａ）に示すように、信号補正回路１２の出力信号は、ゲインが保持されたゲイン調整回路１２２からの信号Ｓ３である。この信号Ｓ３は、信号Ｓ２のトップレベルがトップ基準値に一致するように変換されて、信号全体が伸張された信号になる。
【００４６】
次に、図４（ｂ）に示すように、調整信号生成回路１２５が、リニアライザ１２３を設定するために、差分値算出回路１２４に対して期待値データ信号を供給する。この場合、調整信号生成回路１２５は、各調整ポイント（例えば最大出力の１０％毎の出力）の基準信号に対応する期待値データ信号（調整ポイント基準値）を供給する。これにより、差分値算出回路１２４は、調整ポイント基準値と、各調整ポイントにおける差分値算出回路１２４に供給された信号Ｓ３の調整ポイントレベルとの差分値をそれぞれ算出する。そして、差分値算出回路１２４は、算出した各差分値をＤＣシフト回路１２１、ゲイン調整回路１２２、リニアライザ１２３に供給する。
【００４７】
調整信号生成回路１２５は、期待値データ信号の供給と同期して、リニアライザ１２３に対して調整制御信号を供給する。この場合、調整制御信号が供給されたリニアライザ１２３は、差分値算出回路１２４からの差分値データを取得する。リニアライザ１２３は、取得した差分値データから、各調整ポイントにおける信号Ｓ３の調整ポイントレベルを調整ポイント基準値にする変換値に関する変換テーブルを生成して、この変換テーブルを記憶して保持する。
【００４８】
このように変換テーブルが保持されると、リニアライザ１２３の設定が終了する。ここで、調整信号生成回路１２５は、リニアライザ１２３に対する調整制御信号及び差分値算出回路１２４に対する期待値データ信号の供給を停止する。この場合、図４（ｃ）に示すように、信号補正回路１２の出力信号は、変換テーブルが保持されたリニアライザ１２３からの信号Ｓ４である。この信号Ｓ４は、信号Ｓ３をこれに近似する直線となるように変換された信号になる。以上により、信号補正回路１２の設定処理が完了する。
【００４９】
本実施形態によれば、以下のような効果を得ることができる。
・  本実施形態では、信号補正回路１２は、ＤＣシフト回路１２１、ゲイン調整回路１２２及びリニアライザ１２３を備える。ＤＣシフト回路１２１は、前処理回路１１からの信号に対してシフト値を乗算して、信号のオフセットを「０」にした信号を出力する。ゲ
イン調整回路１２２は、ＤＣシフト回路１２１からの信号に対してゲインを乗算して変換を行った信号を出力する。リニアライザ１２３は、ゲイン調整回路１２２からの信号に対して変換テーブルを用いて、直線的に変化するように変換した信号を出力する。このため、ディスプレイ１０に入力された映像信号が、前処理回路１１において非線形になったりゲイン不足、ゲインオーバー又はオフセット等が発生したりしても、これらを補正した信号を画質調整回路１３に供給することができる。画質調整回路１３は、補正された信号に対応する駆動出力信号をＬＣＤパネル１４に供給する。このため、ディスプレイ１０が、基準信号を入力信号として設定した入出力特性テーブルを用いる画質調整回路１３を備えていても、補正された信号に基づいて画質の調整が行なわれるので、高画質の画像を実現することができる。
【００５０】
・  本実施形態では、信号補正回路１２は、差分値算出回路１２４を備える。この差分値算出回路１２４は、基準ボトムレベルと、差分値算出回路１２４に供給された信号Ｓ１との差分値を算出する。ＤＣシフト回路１２１は、差分値算出回路１２４から差分値データを取得し、信号Ｓ１のオフセット値を「０」とするシフト値を算出して保持する。次に、差分値算出回路１２４は、トップ基準値と、差分値算出回路１２４に供給された信号Ｓ２との差分値を算出する。ゲイン調整回路１２２は、差分値算出回路１２４から差分値を取得し、信号Ｓ２のトップレベルをトップ基準値とするためのゲインを算出して保持する。次に、差分値算出回路１２４は、調整ポイント基準値と、差分値算出回路１２４に供給された信号Ｓ３の各調整ポイントとの差分値をそれぞれ算出する。リニアライザ１２３は、差分値算出回路１２４から差分値データを取得し、各調整ポイントにおける差分値から経調整ポイント変換値を取得して変換テーブルを生成して保持する。このため、信号補正回路１２に信号を供給する前処理回路１１の特性が不明であっても、この前処理回路１１からの信号に基づいてシフト値、ゲイン及び変換テーブルを適宜設定することができるので、ディスプレイ１０に内蔵された前処理回路１１の特性に適合した補正を行なうことができる。
【００５１】
・  本実施形態では、信号補正回路１２は、ＤＣシフト回路１２１、ゲイン調整回路１２２及びリニアライザ１２３を設定するための調整信号生成回路１２５を備える。この調整信号生成回路１２５が、差分値算出回路１２４に期待値データ信号を供給し、ＤＣシフト回路１２１に調整制御信号を供給すると、差分値算出回路１２４は差分値を算出し、ＤＣシフト回路１２１は差分値を取得してシフト値を算出して設定する。次に、調整信号生成回路１２５が、差分値算出回路１２４に期待値データ信号を供給し、ゲイン調整回路１２２に調整制御信号を供給すると、差分値算出回路１２４は差分値を算出し、ゲイン調整回路１２２は、差分値を取得してゲインを算出して設定する。次に、調整信号生成回路１２５が、差分値算出回路１２４に期待値データ信号を供給し、リニアライザ１２３に調整制御信号を供給すると、差分値算出回路１２４は差分値を算出し、リニアライザ１２３は、差分値を取得して変換テーブルを生成して設定する。このため、調整信号生成回路１２５が供給する期待値データ信号及び調整制御信号によって、ＤＣシフト回路１２１、ゲイン調整回路１２２及びリニアライザ１２３を順番に設定することができる。
【００５２】
また、上記実施形態は以下のように変更してもよい。
○  上記実施形態において、信号補正回路１２は、ＤＣシフト回路１２１、ゲイン調整回路１２２及びリニアライザ１２３の設定を行なうために用いる差分値算出回路１２４及び調整信号生成回路１２５を備えた。これに限らず、ＤＣシフト回路１２１、ゲイン調整回路１２２及びリニアライザ１２３の設定を行なうための回路を、信号補正回路１２の外部に設けてもよい。この場合、差分値算出回路１２４及び調整信号生成回路１２５の両方を信号補正回路１２において省略してもよいし、調整信号生成回路１２５のみを省略してもよい。前者の場合には、リニアライザ１２３から出力される信号補正回路１２の出力信号をモニタして差分値を算出し、この差分値を信号補正回路１２の外部から供給する。後
者の場合には、ＤＣシフト回路１２１、ゲイン調整回路１２２及びリニアライザ１２３に供給する調整制御信号と、差分値算出回路１２４に供給する期待値データを信号補正回路１２の外部から供給する。
【００５３】
○  上記実施形態においては、ディスプレイ１０に入力される映像信号は、同期信号及び輝度−色差の方式（ＹＰｂＰｒ）を含む信号と用いた。これに限らず、ディスプレイ１０に入力される信号は、他のコンポーネント方式の信号であってもよいし、ＲＧＢ信号であってもよい。
【００５４】
○  上記実施形態においては、画像出力装置であるＬＣＤパネル１４として、液晶ディスプレイを用いた。これに限らず、プラズマディスプレイやプロジェクターなど、画質を調整する画像出力装置であれば、液晶ディスプレイ以外に用いてもよい。
【図面の簡単な説明】
【００５５】
【図１】本実施形態の信号補正回路を備えたディスプレイの構成図であり、（ａ）は画像を表示する場合、（ｂ）は信号補正回路や画質調整回路を設定する場合を示す。
【図２】本実施形態における信号補正回路の構成を説明するためのブロック図。
【図３】信号補正回路の設定を説明する説明図であり、（ａ）はＤＣシフト回路を設定する前の状態、（ｂ）はＤＣシフト回路の設定状態、（ｃ）はゲイン調整回路を設定する前の状態、（ｄ）はゲイン調整回路の設定状態を示す。
【図４】信号補正回路の設定を説明する説明図であり、（ａ）はリニアライザを設定する前の状態、（ｂ）はリニアライザの設定状態、（ｃ）は信号補正手段の設定が完了した状態を示す。
【図５】従来技術において前処理回路を通過した信号の変形を説明する説明図。
【符号の説明】
【００５６】
Ｓ１，Ｓ２，Ｓ３，Ｓ４…信号、１０…画像出力装置としてのディスプレイ、１１…前処理手段としての前処理回路、１２…信号補正装置としての信号補正回路、１３…画質調整回路、１４…表示パネルとしてのＬＣＤパネル、１５…プロファイルデータ記憶部、２０…基準信号発生器、３０…ディスプレイアナライザ、１２１…シフト手段としてのＤＣシフト回路、１２２…ゲイン調整手段としてのゲイン調整回路、１２３…線形性調整手段としてのリニアライザ、１２４…差分値算出手段としての差分値算出回路、１２５…調整信号生成手段としての調整信号生成回路。
【図１】
2009128515.tif 000003
【図２】
2009128515.tif 000004
【図３】
2009128515.tif 000005
【図４】
2009128515.tif 000006
【図５】
2009128515.tif 000007